【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
画像処理装置と、サーバ装置と、クライアント装置とが通信可能に接続された情報処理システムであって、
前記画像処理装置は、
前記画像処理装置に対してログインを行うべく、ユーザを識別するユーザ情報の入力を受け付け、前記ユーザ情報を前記サーバ装置に送信するユーザ情報送信手段と、
当該画像処理装置で印刷された出力物が前記ユーザによって取得された旨を検知する出力物取得検知手段と、
前記出力物取得検知手段で出力物の取得を検知した場合に、前記ユーザが使用するクライアント装置のロック状態の解除依頼を、前記ユーザ情報を含めて前記サーバ装置に送信する解除依頼送信手段と
を備え、
前記サーバ装置は、
前記クライアント装置を特定するクライアント情報と、当該クライアント装置を使用するユーザの前記ユーザ情報とを対応づけて記憶する記憶手段と、
前記ユーザ情報送信手段によって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示手段と、
前記解除依頼送信手段によって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示手段と
を備え、
前記クライアント装置は、
前記ロック指示手段によって送信された前記ロック状態への移行指示を受信した場合、前記サーバ装置からの指示によって解除可能なロック状態に移行するロック手段と、
前記ロック状態において、前記ロック解除指示手段によってロック解除指示を受信した場合に、前記ロック状態を解除するロック解除手段と
を備えることを特徴とする情報処理システム。
【請求項２】
前記画像処理装置は、
前記ログインしたユーザの印刷が終了すると、前記ユーザのユーザ情報を含めた出力終了通知を前記サーバ装置に対して送信する出力終了通知送信手段を更に備え、
前記サーバ装置は、
前記出力終了通知送信手段で送信された出力終了通知を受信すると、当該出力終了通知に含まれるユーザ情報に対応する前記記憶手段のユーザ情報に紐づけて、印刷が終了した旨を登録するステータス登録手段とを更に備え、
前記ロック解除指示手段は、前記記憶手段に印刷が終了した旨が登録されている場合に、前記解除依頼に含まれるユーザ情報に対応するクライアント情報によって特定されるクライアント装置に対してロック解除指示を送信することを特徴とする請求項１に記載の情報処理システム。
【請求項３】
前記ロック解除指示手段は、前記記憶手段に印刷が終了した旨が登録されていない場合には、前記クライアント装置に対してロック解除指示を送信しないことを特徴とする請求項２に記載の情報処理システム。
【請求項４】
前記画像処理装置は、
印刷が終了した場合に、出力物が前記ユーザによって取得された旨を検知するためのボタンを表示する表示手段を更に備え、
前記出力物取得検知手段は、前記表示手段で表示されたボタンの押下を検知することで、当該画像処理装置で印刷された出力物が前記ユーザによって取得された旨を検知することを特徴とする請求項１乃至３のいずれか１項に記載の情報処理システム。
【請求項５】
前記ロック状態は、前記クライアント装置の画面をロックし、ユーザからの操作が不能な状態であることを特徴とする請求項１乃至４のいずれか１項に記載の情報処理システム。
【請求項６】
画像処理装置に対してログインを行うべく、ユーザを識別するユーザ情報の入力を受け付け、前記ユーザ情報をサーバ装置に送信するユーザ情報送信手段と、当該画像処理装置で印刷された出力物が前記ユーザによって取得された旨を検知する出力物取得検知手段と、前記出力物取得検知手段で出力物の取得を検知した場合に、前記ユーザが使用するクライアント装置のロック状態の解除依頼を、前記ユーザ情報を含めて前記サーバ装置に送信する解除依頼送信手段とを備える画像処理装置と、前記サーバ装置から送信された前記ロック状態への移行指示を受信した場合、前記サーバ装置からの指示によって解除可能なロック状態に移行するロック手段と、前記ロック状態において、前記サーバ装置からロック解除指示を受信した場合に、前記ロック状態を解除するロック解除手段とを備えるクライアント装置と通信可能に接続されたサーバ装置であって、
前記クライアント装置を特定するクライアント情報と、当該クライアント装置を使用するユーザの前記ユーザ情報とを対応づけて記憶する記憶手段と、
前記ユーザ情報送信手段によって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示手段と、
前記解除依頼送信手段によって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示手段と
を備えることを特徴とするサーバ装置。
【請求項７】
画像処理装置と、クライアント装置を特定するクライアント情報と、当該クライアント装置を使用するユーザのユーザ情報とを対応づけて記憶する記憶手段を備えるサーバ装置と、クライアント装置とが通信可能に接続された情報処理システムの制御方法であって、
前記画像処理装置のユーザ情報送信手段が、前記画像処理装置に対してログインを行うべく、ユーザを識別するユーザ情報の入力を受け付け、前記ユーザ情報を前記サーバ装置に送信するユーザ情報送信ステップと、
前記サーバ装置のロック指示手段が、前記ユーザ情報送信ステップによって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示ステップと、
前記クライアント装置のロック手段が、前記ロック指示ステップによって送信された前記ロック状態への移行指示を受信した場合、前記サーバ装置からの指示によって解除可能なロック状態に移行するロックステップと、
前記画像処理装置の出力物取得検知手段が、当該画像処理装置で印刷された出力物が前記ユーザによって取得された旨を検知する出力物取得検知ステップと、
前記画像処理装置の解除依頼送信手段が、前記出力物取得検知ステップで出力物の取得を検知した場合に、前記ユーザが使用するクライアント装置のロック状態の解除依頼を、前記ユーザ情報を含めて前記サーバ装置に送信する解除依頼送信ステップと、
前記サーバ装置のロック解除指示手段が、前記解除依頼送信ステップによって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示ステップと
前記クライアント装置のロック解除手段が、前記ロック状態において、前記ロック解除指示ステップによってロック解除指示を受信した場合に、前記ロック状態を解除するロック解除ステップと
を備えることを特徴とする情報処理システムの制御方法。
【請求項８】
画像処理装置に対してログインを行うべく、ユーザを識別するユーザ情報の入力を受け付け、前記ユーザ情報をサーバ装置に送信するユーザ情報送信手段と、当該画像処理装置で印刷された出力物が前記ユーザによって取得された旨を検知する出力物取得検知手段と、前記出力物取得検知手段で出力物の取得を検知した場合に、前記ユーザが使用するクライアント装置のロック状態の解除依頼を、前記ユーザ情報を含めて前記サーバ装置に送信する解除依頼送信手段とを備える画像処理装置と、前記サーバ装置から送信された前記ロック状態への移行指示を受信した場合、前記サーバ装置からの指示によって解除可能なロック状態に移行するロック手段と、前記ロック状態において、前記サーバ装置からロック解除指示を受信した場合に、前記ロック状態を解除するロック解除手段とを備えるクライアント装置と通信可能に接続され、前記クライアント装置を特定するクライアント情報と、当該クライアント装置を使用するユーザの前記ユーザ情報とを対応づけて記憶する記憶手段を備えるサーバ装置の制御方法であって、
前記サーバ装置のロック指示手段が、前記サーバ装置の前記ユーザ情報送信手段によって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示ステップと、
前記サーバ装置のロック解除指示手段が、前記解除依頼送信手段によって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示ステップと
を備えることを特徴とするサーバ装置の制御方法。
【請求項９】
画像処理装置と、クライアント装置を特定するクライアント情報と、当該クライアント装置を使用するユーザのユーザ情報とを対応づけて記憶する記憶手段を備えるサーバ装置と、クライアント装置とが通信可能に接続された情報処理システムの制御方法を実行可能なプログラムであって、
前記画像処理装置を、
前記画像処理装置に対してログインを行うべく、ユーザを識別するユーザ情報の入力を受け付け、前記ユーザ情報を前記サーバ装置に送信するユーザ情報送信手段と、
当該画像処理装置で印刷された出力物が前記ユーザによって取得された旨を検知する出力物取得検知手段と、
前記出力物取得検知手段で出力物の取得を検知した場合に、前記ユーザが使用するクライアント装置のロック状態の解除依頼を、前記ユーザ情報を含めて前記サーバ装置に送信する解除依頼送信手段
として機能させ、
前記サーバ装置を、
前記ユーザ情報送信手段によって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示手段と、
前記解除依頼送信手段によって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示手段
として機能させ、
前記クライアント装置を、
前記ロック指示手段によって送信された前記ロック状態への移行指示を受信した場合、前記サーバ装置からの指示によって解除可能なロック状態に移行するロック手段と、
前記ロック状態において、前記ロック解除指示手段によってロック解除指示を受信した場合に、前記ロック状態を解除するロック解除手段
として機能させることを特徴とするプログラム。
【請求項１０】
画像処理装置に対してログインを行うべく、ユーザを識別するユーザ情報の入力を受け付け、前記ユーザ情報をサーバ装置に送信するユーザ情報送信手段と、当該画像処理装置で印刷された出力物が前記ユーザによって取得された旨を検知する出力物取得検知手段と、前記出力物取得検知手段で出力物の取得を検知した場合に、前記ユーザが使用するクライアント装置のロック状態の解除依頼を、前記ユーザ情報を含めて前記サーバ装置に送信する解除依頼送信手段とを備える画像処理装置と、前記サーバ装置から送信された前記ロック状態への移行指示を受信した場合、前記サーバ装置からの指示によって解除可能なロック状態に移行するロック手段と、前記ロック状態において、前記サーバ装置からロック解除指示を受信した場合に、前記ロック状態を解除するロック解除手段とを備えるクライアント装置と通信可能に接続され、前記クライアント装置を特定するクライアント情報と、当該クライアント装置を使用するユーザの前記ユーザ情報とを対応づけて記憶する記憶手段を備えるサーバ装置の制御方法を実行可能なプログラムであって、
前記サーバ装置を、
前記ユーザ情報送信手段によって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示手段と、
前記解除依頼送信手段によって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示手段
として機能させることを特徴とするプログラム。
【手続補正２】
【補正対象書類名】明細書
【補正対象項目名】発明の名称
【補正方法】変更
【補正の内容】
【発明の名称】情報処理システム及びサーバ装置並びにそれらの制御方法、及び、プログラム
【手続補正３】
【補正対象書類名】明細書
【補正対象項目名】０００９
【補正方法】変更
【補正の内容】
【０００９】
本発明は、上記の課題を解決するためになされたものであって、複数の装置に対する１ユーザによる同時ログインを防止すると共に、放置プリントを抑止する仕組みを提供しようとするものである。
【手続補正４】
【補正対象書類名】明細書
【補正対象項目名】００１０
【補正方法】変更
【補正の内容】
【００１０】
上記の課題を達成するため、例えば本発明の情報処理システムは以下の構成を備える。
すなわち、画像処理装置と、サーバ装置と、クライアント装置とが通信可能に接続された情報処理システムであって、前記画像処理装置は、前記画像処理装置に対してログインを行うべく、ユーザを識別するユーザ情報の入力を受け付け、前記ユーザ情報を前記サーバ装置に送信するユーザ情報送信手段と、当該画像処理装置で印刷された出力物が前記ユーザによって取得された旨を検知する出力物取得検知手段と、前記出力物取得検知手段で出力物の取得を検知した場合に、前記ユーザが使用するクライアント装置のロック状態の解除依頼を、前記ユーザ情報を含めて前記サーバ装置に送信する解除依頼送信手段とを備え、前記サーバ装置は、前記クライアント装置を特定するクライアント情報と、当該クライアント装置を使用するユーザの前記ユーザ情報とを対応づけて記憶する記憶手段と、前記ユーザ情報送信手段によって送信された前記ユーザ情報を受信した場合、前記記憶手段に記憶された、当該受信したユーザ情報に対応するクライアント情報によって特定されるクライアント装置に対して、当該サーバ装置からの指示によって解除可能なロック状態への移行指示を送信するロック指示手段と、前記解除依頼送信手段によって送信されたロック状態の解除依頼を受信すると、前記記憶手段に記憶された、当該解除依頼に含まれるユーザ情報に対応するクライアント情報によって特定されるクライアント装置に対して、ロック状態を解除すべく、ロック解除指示を送信するロック解除指示手段とを備え、前記クライアント装置は、前記ロック指示手段によって送信された前記ロック状態への移行指示を受信した場合、前記サーバ装置からの指示によって解除可能なロック状態に移行するロック手段と、前記ロック状態において、前記ロック解除指示手段によってロック解除指示を受信した場合に、前記ロック状態を解除するロック解除手段とを備えることを特徴とする。
【手続補正５】
【補正対象書類名】明細書
【補正対象項目名】００１１
【補正方法】変更
【補正の内容】
【００１１】
本発明によれば、１ユーザによるクライアント装置や画像処理装置への同時ログインを防止すると共に、放置プリントを抑止する仕組みを提供できる。また、他の発明によれば、印刷が終了している場合にクライアント装置のロックを解除し、更に印刷が終了していない場合には当該ロックを解除しないようにすることができる。